(57)【要約】【課題】携帯端末装置上でデーターベースを利用し、データベース内の情報を様々な処理に活用する。【解決手段】携帯電話機１は、記録部１７内にデータベース１８を記録し、データベース１８内のパラメータが選択されるのに応じて、選択されたパラメータを入力として、パラメータに関連付けられている機能を実現するアプリケーションプログラム２１を実行する。これにより、ユーザは、携帯端末装置上でデーターベース１８を利用し、データベース１８内の情報を様々な処理に活用することができる。【選択図】  図１
2004207947.tif 000002
【特許請求の範囲】
【請求項１】
所定の機能を実現するアプリケーションプログラムを複数記憶するプログラム記憶部と、
少なくとも一つが上記アプリケーションプログラムと関連付けられた複数のパラメータを検索キー毎に記憶するデータベース部と、
上記検索キーの入力及び上記パラメータの選択を行うための操作入力部と、
上記検索キーの入力に応じて、入力された検索キーに対応する上記パラメータを抽出する制御部と、
上記制御部が抽出したパラメータを表示出力する表示部とを備え、
上記制御部は、表示出力したパラメータが選択されるのに応じて、選択されたパラメータが上記アプリケーションプログラムと関連付けられているか否かを判別し、関連付けられている場合、当該パラメータを入力として関連付けられているアプリケーションプログラムを起動すること
を特徴とする携帯端末装置。
【請求項２】
請求項１に記載の携帯端末装置であって、
通信機能を備え、
上記データベース部は、上記通信機能を利用してダウンロードされること
を特徴とする携帯端末装置。
【請求項３】
請求項１に記載の携帯端末装置であって、
上記機能は、ブラウザ機能、電話発信機能、電子メール機能、及び位置検索機能の少なくとも一つを含むこと
を特徴とする携帯端末装置。
【請求項４】
請求項１に記載の携帯端末装置であって、
上記制御部は、予測変換機能を有し、入力された検索キーから上記パラメータを予測し、予測したパラメータを表示制御すること
を特徴とする携帯端末装置。
【発明の詳細な説明】
【０００１】
【発明の属する技術分野】
本発明は、携帯電話機やＰＤＡ（Personal Digital Assistant）等の携帯端末装置に関する。
【０００２】
【従来の技術】
近年、携帯電話機やＰＤＡ等の携帯端末装置が一般に広く普及し、ユーザは、携帯端末装置に搭載された機能を利用して、ウェブ閲覧、電子メールの作成・送受信、スケジュール管理、ＧＰＳ（Global Positioning System）による位置情報検索等の様々な処理を行うことができるようになった（例えば、特許文献１を参照）。
【０００３】
【特許文献１】
特開２００１−３２５２５２号公報
【０００４】
【発明が解決しようとする課題】
しかしながら、従来までの携帯端末装置には、任意に作成されたデータベースをダウンロード、記憶する機能が設けられていないために、ユーザはデーターベースを携帯端末装置上で利用し、種々の処理にデータベースを活用することはできなかった。
【０００５】
本発明はこのような課題に鑑みてなされたものであり、その目的は、データベースを利用することが可能な携帯端末装置を提供することにある。
【０００６】
【課題を解決するための手段】
本発明に係る携帯端末装置の特徴は、所定の機能を実現するアプリケーションプログラムを複数記憶するプログラム記憶部と、少なくとも一つがアプリケーションプログラムと関連付けられた複数のパラメータを検索キー毎に記憶するデータベース部と、検索キーの入力及びパラメータの選択を行うための操作入力部と、検索キーの入力に応じて、入力された検索キーに対応するパラメータを抽出する制御部と、制御部が抽出したパラメータを表示出力する表示部とを備え、制御部は、表示出力したパラメータが選択されるのに応じて、選択されたパラメータがアプリケーションプログラムと関連付けられているか否かを判別し、関連付けられている場合、選択されたパラメータを入力として関連付けられているアプリケーションプログラムを起動することにある。
【０００７】
すなわち、本発明に係る携帯端末装置は、データベース部内のパラメータが選択されるのに応じて、選択されたパラメータを入力として、パラメータに関連付けられているアプリケーションプログラムを実行する。これにより、ユーザは、携帯端末装置上でデーターベース部を利用し、データベース部内の情報を様々な処理に活用することができる。
【０００８】
【発明の実施の形態】
本発明は、例えば図１に示すような携帯電話機に適用することができる。以下、図面を参照して、本発明の一実施形態となる携帯電話機の構成及び動作について詳しく説明する。
【０００９】
［携帯電話機の概観］
始めに、図１を参照して、本発明の一実施形態となる携帯電話機の概観の構成について説明する。
【００１０】
本発明の一実施形態となる携帯電話機１は、図１に示すように概観を有し、主な構成要素として、表示部２、操作入力部３、受話口４、及び送話口５を備える。上記表示部２は、ＬＣＤ（Liquid Crystal Display）やＥＬ（ElectroLuminescence）パネル等の一般的な表示装置により構成され、後述するＣＰＵ（CentralProcessing Unit，図２参照）１５の制御に従って、文字や数字、記号、アイコン、カーソル、画像、動画像等を可視表示する。
【００１１】
上記操作入力部３は、例えば「０」から「９」までの数字の入力、文字の入力、記号の入力、発信や受信の指示入力、電源のオン／オフの指示入力等の入力操作に使用する、複数のキーボタン６を有する。また、この操作入力部３は、上記表示部２上に表示されたカーソルの移動操作や画面のスクロール操作等の操作に使用するダイアル（ジョグダイアル）７を有する。上記受話口４及び送話口５はそれぞれ、後述するスピーカ及びマイクロフォン（図２参照）に接続し、ユーザが通話相手先と音声通話を行う際に使用される。
【００１２】
［携帯電話機の内部構成及びその基本動作］
次に、図２を参照して、上記携帯電話機１の内部構成及びその基本動作について説明する。なお、図２に示す表示部２及び操作入力部３の構成及び動作は図１に示すそれと同じであるので、以下ではその説明を省略する。
【００１３】
図２に示す携帯電話機１において、送話口５（図１参照）に接続されているマイクロフォン８は、ユーザの通話音声等をアナログ音声信号に変換する。そして、このアナログ音声信号は、図示しない増幅器により増幅された後、ＤＳＰ（Digital Siginal Processor）９に入力される。
【００１４】
ＤＳＰ９は、アナログ音声信号が入力されると、アナログ音声信号を所定のサンプリングレートでアナログ／デジタル（Ａ／Ｄ）変換する。そして、ＤＳＰ９は、Ａ／Ｄ変換により得られたデジタル音声データに対し、トランスポートブロック（ＴＢ）毎にＣＲＣ（Cyclic Redundancy Check）符号を付加し、チャネル符号化（誤り訂正符合化）及びインターリーブ処理を施す。なお、上記トランスポートブロックとは、物理レイヤが処理を行うデータの基本単位（MAC(Media Access Control)レイヤから物理レイヤにデータが転送される単位）を示す。
【００１５】
また、ＤＳＰ９は、上記インターリーブ処理後のビット系列に対して、チャネル確定のためのパイロットビット等のオーバーヘッドを付加した後にデータ変調処理を行い、データ変調マッピングされた位相平面上の同相（In-Phase）及び直交（Quadrature）成分をそれぞれ２階層の拡散符号系列で拡散する。そして、ＤＳＰ９は、拡散後のチップデータ系列を自乗余弦ルートナイキストフィルタで所定帯域（５ＭＨｚ）に帯域制限した後にデジタル／アナログ（Ｄ／Ａ）変換によりアナログ信号に変換し、アナログ信号を送信部１０に入力する。
【００１６】
送信部１０は、ＤＳＰ９からアナログ信号が入力されると、アナログ信号を直交復調し、直交復調された中間周波数信号を高周波信号（２ＧＨｚ帯のＲＦ信号）に周波数変換する。そして、送信部１０は、この高周波信号を増幅し、増幅後の高周波信号を送信信号としてデュプレクサ１１に出力する。
【００１７】
デュプレクサ１１は、アンテナ共用器である。すなわち、デュプレクサ１１は、送信信号と受信信号とで１本のアンテナ１２を共用し、アンテナ１２からの受信信号を受信部１３に送り、且つ、送信部１０からの送信信号をアンテナ１２へ送出する機能を備えたフィルタ回路により構成される。
【００１８】
受信部１３は、アンテナ１２及びデュプレクサ１１を介して供給された高周波の受信信号を増幅し、増幅した受信信号を中間周波数の信号に周波数変換する。そして、受信部１３は、自動利得制御により中間周波数の信号を線形増幅し、線形増幅した中間周波数の信号をＤＳＰ９に出力する。
【００１９】
このときＤＳＰ９は、受信部１３からの信号を直交検波（Quardrature Detection）し、直交検波による同相及び直交成分のアナログ信号を所定のサンプリングレートでＡ／Ｄ変換する。そして、ＤＳＰ９は、Ａ／Ｄ変換によりデジタル値に変換された同相及び直交成分を、自乗余弦ルートナイキストフィルタで帯域制限した後に受信信号の拡散符号と同一の拡散符号により逆拡散することにより、伝搬遅延時間が異なる複数のマルチパス成分に時間分離する。
【００２０】
また、ＤＳＰ９は、時間分離した各パスのデータをコヒーレントレイク合成し、コヒーレントレイク合成後のデータ系列をデインターリーブ及びチャネル復号した後、２値のデータ判定を行って相手先の端末が送信してきたデータ系列を再生する。そして、ＤＳＰ９は、再生したデータ系列を音声データとその他の通信データに弁別する。
【００２１】
音声データは、ＤＳＰ９によりＤ／Ａ変換され、さらに図示しない増幅器により増幅された後、受話口４（図１参照）に内蔵されているスピーカ１４へ送られる。スピーカ１４は、増幅されたアナログ音声信号により駆動される。これにより、通話相手先の端末からの通話音声がスピーカ１４から放音されることになる。
【００２２】
また、ＤＳＰ９は、上記通信データがどのようなデータであるのかを解析し、その解析結果に応じた処理を行う。例えば上記通信データがテキストデータである場合、ＤＳＰ９はテキストデータをＣＰＵ１５に送り、ＣＰＵ１５は表示部２上にテキストデータを表示制御する。また、例えば通信データが圧縮された画像データである場合、ＤＳＰ９は圧縮画像データを伸張した後にＣＰＵ１５に送り、ＣＰＵ１５は表示部２上に画像データを表示制御する。また、例えば通信データが圧縮された音声データである場合、ＤＳＰ９は、圧縮音声データを伸張し、スピーカ１６又はスピーカ１４に音声データを出力する。
【００２３】
記録部１７は、フラッシュメモリ等の記憶保持動作が不要な書き換え可能なメモリにより構成される。この記録部１７は、ダウンロードやキーボタン６の操作等により入力されたデータベース１８を格納する。また、記録部１７は、送受信した電子メールのデータ、画像データ、音声データ等、必要に応じて様々なデータを記録することができるように構成されている。
【００２４】
ＲＯＭ（Read Only Memory）１９は、ＣＰＵ１５が各部を制御するための制御プログラム（図示せず）、ＣＰＵ１５がデータベース１８を管理するためのデータベース管理プログラム２０、及び電子メール（メーラー）機能、ブラウザ機能、位置検索機能、予測変換機能等の種々の機能を実現するアプリケーションプログラム２１等の各種コンピュータプログラムと、各種の初期設定データ、フォントデータ等を記憶している。なお、このＲＯＭ１９は、ＥＥＰＲＯＭ(Electrically Erasable and Programmable Read Only Memory)のような書き換え可能なＲＯＭであってもよい。
【００２５】
ＲＡＭ（Random Access Memory)２２は、ＣＰＵ１５が各種処理を行う際ワーキングエリアとして機能し、随時データを格納する。上記ＣＰＵ１５は、記録部１７及びＲＯＭ１９に格納されているコンピュータプログラムに基づいて、各部の動作を制御すると共に、各種の演算処理を行う。
【００２６】
カメラ部２３は、ＣＣＤ（Charge Coupled Device）イメージセンサやＣＭＯＳ(Complementary Metal Oxide Semiconductor)イメージセンサ等の撮像素子と、撮像素子上に被写体等の光像を結像させる光学系とを備えたものである。カメラ部２３における撮影の指示は、操作入力部３上の所定のキーをレリーズボタンとして使用することで実現することができる。また、カメラ部２３により撮影した画像データはＤＳＰ９に入力する。なお、カメラ部２３から画像データを受け取ったＤＳＰ９は、その画像データをＣＰＵ１５に送り、ＣＰＵ１５は画像データに基づく画像を表示部２上に表示制御する。また、ＤＳＰ９は、必要に応じて画像データを圧縮し、圧縮後の画像データを送信データとして送信部１０に送ることもできる。また、圧縮後の画像データは、ＣＰＵ１５を介して記録部１７に記録することもできる。
【００２７】
近距離無線通信部２４及びそのアンテナ２５は、いわゆるブルートゥース（Bluetooth）方式の無線通信を行うためのものである。なお、ブルートゥース方式は、複数の電子機器間でアドホックな無線ネットワーキングを実現するための方式である。このブルートゥース方式は、Bluetooth SIG(Special Interest Group)において策定されたものであり、詳細は、"Bluetooth(TM) Special Interest Group, Bluetooth仕様書バージョン1.0"に開示されている。
【００２８】
ここで、上記携帯電話機１内部に、ＣＰＵ１５の制御に従って、通信電波若しくはＧＰＳ電波の少なくとも一方を利用して、携帯電話機１が所在する位置の例えば経度（ｘ）、緯度（ｙ）、高さ（ｚ）等に関する情報（以下、位置情報と表記する）を取得する、位置検出部を設けてもよい。この場合、位置検出部が取得した位置情報は、ＲＯＭ１９内に格納された位置検索機能を実現するアプリケーションプログラムにより利用される。
【００２９】
なお、位置検出部が通信電波を利用して位置検出を行うものである場合には、位置検出部は最寄の通信基地局と通信を行って携帯電話機１の位置情報を取得する。また、位置検出部がＧＰＳ電波を利用して位置検出を行う場合、位置検出部内にＧＰＳ電波受信機能を設けるようにする。このＧＰＳ受信機能は、主として、ＧＰＳ電波を受信するＧＰＳ電波受信アンテナ、受信したＧＰＳ電波を復調するＧＰＳ無線部、及び復調されたＧＰＳ電波から現在地の緯度経度情報を演算により求め、出力するＧＰＳ制御部とにより構成される。このＧＰＳ電波受信機能は、ＧＰＳ衛星が送信している高精度の時間信号が含まれたＧＰＳ電波を、現在信号を受信可能な周回軌道上に存在する少なくとも３台のＧＰＳ衛星から受信し、各ＧＰＳ衛星からのＧＰＳ電波の到達時間からＧＰＳ衛星までの距離を各々演算し、各距離が一致する点を自身の現在位置とするものである。
【００３０】
［データベースの構成］
上記データベース１８は、例えば図３に示すような構成を有し、検索キーフィールド３１内に記述された検索キー毎に、複数のパラメータフィールド３２ａ〜３２ｃ内に記述されたパラメータ（パラメータ１〜３）が記憶されている。なお、この図３に示す例では、各検索キー（「あか」、「あお」、「くろ」）には、会社名（パラメータ１）、電話番号（パラメータ２）、及び会社のホームページアドレス（パラメータ３）が関連付けられて記憶されている。
【００３１】
また、上記パラメータの一部若しくは全ては、その内容に応じて携帯電話機１の機能と関連付けされており、例えばパラメータの内容がメールアドレスである場合には電子メール機能、パラメータの内容がＵＲＬ（Universal Resource Locator）である場合にはブラウザ機能、パラメータの内容が住所である場合には位置検出機能にそれぞれ関連付けされている。
【００３２】
なお、データベース１８の内容は、図３に示す例に限られることはなく、例えば駅周辺の店舗に関する情報（店舗の名前、電話番号、住所）等、種々のコンテンツをデータベース１８として格納することができる。また、他の情報処理装置上でこのデータベース１８を作成し、作成したデータベース１８を電気通信回線を介して携帯電話機１にダウンロードすることにより、携帯電話機１内にデータベース１８を記憶したり、携帯電話機１内のデータベース１８の内容を更新してもよい。さらに、電気通信回線を介して接続される情報処理装置上にデータベース１８を記憶し、携帯電話機１が電気通信回線を介してそのデータベース１８を参照するようにしてもよい。
【００３３】
［検索処理］
次に、図４に示すフローチャートを参照して、ユーザが操作入力部３を操作して入力した検索キーに対応するパラメータをデータベース１８内から抽出する処理（以下、この時の携帯電話機１の動作を検索処理と表記する）を実行する際の携帯電話機１の内部動作について詳しく説明する。
【００３４】
図４に示すフローチャートは、ユーザが、操作入力部３を操作して、データベース管理プログラム２０の実行を指示し、表示部２に表示された図５（ａ）に示すようなデータベース呼出画面（文字入力画面）内に、図５（ｂ）に示すように任意の文字列（図５（ｂ）においては「あお」）を入力することで開始となり、この検索処理はステップＳ１の処理に進む。なお、以下に示す検索処理は、ＣＰＵ１５が、ＲＯＭ１９からＲＡＭ２２にデータベース管理プログラム２０をロードし、データベース管理プログラム２０内のプログラムコードを実行することにより実現され、また、ＣＰＵ１５はユーザが入力した一文字毎（「あ」→「あ・お」）に以下の処理を実行する。
【００３５】
ステップＳ１の処理では、ＣＰＵ１５が、記録部１７内に格納されているデータベース１８の中から検索キーを抽出する。これにより、このステップＳ１の処理は完了し、この検索処理はステップＳ１の処理からステップＳ２の処理に進む。
【００３６】
ステップＳ２の処理では、ＣＰＵ１５が、入力された文字列と抽出した検索キーの文字列とが一致するか否かを判別する。そして、判別の結果、一致しない場合は、ＣＰＵ１５は検索処理をステップＳ２の処理からステップＳ４の処理に進める。一方、一致する場合には、ＣＰＵ１５は検索処理をステップＳ２の処理からステップＳ３の処理に進める。
【００３７】
ステップＳ３の処理では、ＣＰＵ１５が、検索キーと関連付けされているパラメータに関する情報を取得する。これにより、このステップＳ３の処理は完了し、検索処理はステップＳ３の処理からステップＳ４の処理に進む。
【００３８】
ステップＳ４の処理では、ＣＰＵ１５が、データベース１８内に未処理の検索キーがあるか否かを判別する。そして、判別の結果、未処理の検索キーがある場合、ＣＰＵ１５は検索処理をステップＳ４の処理からステップＳ１の処理に戻す。一方、未処理の検索キーがない場合には、ＣＰＵ１５は検索処理をステップＳ４の処理からステップＳ５の処理に進める。
【００３９】
ステップＳ５の処理では、ＣＰＵ１５が、図５（ｃ）に示すように、データベース呼出画面４１内の候補表示エリア４２に取得したパラメータの情報を表示出力する。これにより、このステップＳ５の処理は完了し、一連の検索処理は終了する。なお、この検索処理において、ＣＰＵ１５は、予測変換機能を利用して、入力された文字列から検索キーの候補を予測し、予測した検索キーを候補表示エリア４２に表示出力してもよい。
【００４０】
［アプリケーション起動処理］
以上のようにして、入力した文字列に対応するパラメータが携帯電話機１によって候補表示エリア４２に表示出力されると、ユーザは、操作入力部３を操作して図５（ｃ）に示すカーソル４３を移動することにより、候補表示エリア４２に表示出力されているパラメータの中から所望のものを選択する。そして、ユーザがパラメータを選択、確定すると、携帯電話機１は以下に示すアプリケーション起動処理を実行する。
【００４１】
以下、図６に示すフローチャートを参照して、アプリケーション起動処理を実行する際の携帯電話機１の内部動作について詳しく説明する。
【００４２】
図６に示すフローチャートは、ユーザがカーソル４３を移動して候補表示エリア４２内のパラメータを選択、確定することで開始となり、この起動処理はステップＳ１１の処理に進む。
【００４３】
ステップＳ１１の処理では、ＣＰＵ１５が、ユーザが選択したパラメータを図５（ｄ）に示すようにデータベース呼出画面に表示出力する。これにより、このステップＳ１１の処理は完了し、この起動処理はステップＳ１１の処理からステップＳ１２の処理に進む。
【００４４】
ステップＳ１２の処理では、ＣＰＵ１５が、ユーザが選択したパラメータの情報を取得し、選択されたパラメータを認識する。これにより、このステップＳ１２の処理は完了し、この起動処理はステップＳ１２の処理からステップＳ１３の処理に進む。
【００４５】
ステップＳ１３の処理では、ＣＰＵ１５が、ユーザが選択したパラメータが携帯電話機１の機能と関連付けられているか否かを判別する。具体的には、ＣＰＵ１５は、パラメータがメールアドレスを示す場合には電子メール機能、パラメータがＵＲＬを示す場合にはブラウザ機能、パラメータが住所を示す場合には位置検出機能に関連付けされていると判断する。そして、判別の結果、パラメータが携帯電話機１の機能と関連付けられていない場合は、一連の起動処理は終了する。一方、パラメータが携帯電話機１の機能と関連付けられている場合には、ＣＰＵ１５は起動処理をステップＳ１３の処理からステップＳ１４の処理に進める。
【００４６】
ステップＳ１４の処理では、ＣＰＵ１５が、パラメータと関連付けられている機能を実現するアプリケーションプログラム２１をＲＯＭ１９からＲＡＭ２２にロードし、ロードしたアプリケーションプログラム２１を実行する。そして、ＣＰＵ１５は、アプリケーションプログラム２１内のコンピュータプログラムに従って、パラメータが示す内容を処理する。具体的には、パラメータが電話番号を示す場合には、ＣＰＵ１５は電話番号に発信するようにＤＳＰ９を制御する。また、パラメータがＵＲＬである場合には、ＣＰＵ１５はブラウザ機能を実現するアプリケーションプログラムを実行し、ＵＲＬが示す位置にある情報を表示出力する。また、パラメータがウェブ上のファイル（例えば画像ファイル等）である場合には、ＣＰＵ１５は電子メール機能を実現するアプリケーションプログラムを実行し、ファイルを添付して電子メールを送信する。また、パラメータが住所である場合には、ＣＰＵ１５は位置検出機能を実現するアプリケーションプログラムを実行し、住所付近の地図情報を表示出力する。なお、発信処理の実行が禁止されていたり、ＵＲＬへのアクセスが不可能である場合等、パラメータと関連付けられた機能を実行することができない場合には、ＣＰＵ１５は下記のステップＳ１４の処理を実行する。これにより、このステップＳ１４の処理は完了し、一連の起動処理が終了する。
【００４７】
［実施形態の効果］
以上の説明から明らかように、本発明の実施形態となる携帯電話機１は、記録部１７内にデータベース１８を記録し、データベース１８内のパラメータが選択されるのに応じて、選択されたパラメータを入力として、パラメータに関連付けられている機能を実現するアプリケーションプログラム２１を実行する。
【００４８】
このような携帯電話機１の構成によれば、ユーザは、任意に作成されたデータベース２１を活用して様々な処理を行うことができる。また、データの一部の情報しか知らないような場合であっても、ユーザは、その情報を検索キーとしてデータベース２１を検索することにより、その情報と関連する種々の情報を取得、活用することができる。
【００４９】
［その他の実施形態］
以上、本発明者によってなされた発明を適用した実施の形態の構成及び動作について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることを付け加えておく。
【００５０】
【発明の効果】
本発明によれば、ユーザは、携帯端末装置上でデーターベース部を利用し、データベース部内の情報を様々な処理に活用することができる。
【図面の簡単な説明】
【図１】本発明の一実施形態となる携帯電話機の全体構成を示す模式図である。
【図２】図１に示す携帯電話機の内部構成を示すブロック図である。
【図３】図２に示すデータベースの構成を示す模式図である。
【図４】本発明の実施形態となる検索処理の流れを示すフローチャート図である。
【図５】図４に示す検索処理を実行する際に表示部に表示される画面の構成を示す模式図である。
【図６】本発明の実施形態となるアプリケーション起動処理の流れを示すフローチャート図である。
【符号の説明】
１…携帯電話機、２…表示部、３…操作入力部、９…ＤＳＰ、１５…ＣＰＵ、１７…記録部、１８…データベース、１９…ＲＯＭ、２０…データベース管理プログラム、２１…アプリケーションプログラム、２２…ＲＡＭ、３１…検索キーフィールド、３２ａ，３２ｂ，３２ｃ…パラメータフィールド、４１…データベース呼出画面、４２…候補表示エリア、４３…カーソル
【図１】
2004207947.tif 000003
【図２】
2004207947.tif 000004
【図３】
2004207947.tif 000005
【図４】
2004207947.tif 000006
【図５】
2004207947.tif 000007
【図６】
2004207947.tif 000008